(57)【要約】【課題】オフセット輪転印刷機において、インキ着けローラと版胴との間におけるニップ量の微調整を容易にするローラ支持装置を提供する。【解決手段】インキ着けローラ５を接離するための接続部材８において、ターンバックル１１を構成するネジ部２２、２３に同方向異ピッチのネジを採用する。これにより、ターンバックル１回転毎の伸縮量がこれらネジ部２２、２３のピッチ差となるので、逆方向ネジにより構成された従来のターンバックルからなるローラ支持装置と比較して、本発明のローラ支持装置はその伸縮量をより微小に調整することができる。【選択図】　　　図１
2004025811.tif 000002
【特許請求の範囲】
【請求項１】
フレームに軸支された軸部材に枢支され、その一端において前記軸部材に接触して回転するローラを軸支する揺動アームと、
前記揺動アームの他端においてその一端が回転可能に支持され、その他端が前記フレームに対して回転可能に結合される接続部材と、
を備えており、
前記接続部材が、その両側のネジの方向が互いに同方向でかつそれらのピッチが互いに異なっているターンバックルを備えている
ことを特徴とするローラ支持装置。
【請求項２】
前記接続部材の前記他端を回転可能に支持し、かつ前記フレームに回転可能に支持されるトリップレバーであって、その回転動作によって前記接続部材を回動させるトリップレバー
をさらに設けたことを特徴とする請求項１に記載のローラ支持装置。
【請求項３】
前記接続部材がさらに、その両側のネジの方向が互いに逆方向であるターンバックルと、ネジの方向が互いに同方向である前記ターンバックルとを直列に備えていることを特徴とする、請求項１または請求項２に記載のローラ支持装置。
【発明の詳細な説明】
【０００１】
【発明の属する技術分野】
本発明は、オフセット輪転印刷機等の印刷ユニットに設けられたインキング装置のローラを支持する装置に関し、特に、インキ着けローラと版胴との間のニップ量や、水着けローラと版胴との間のニップ量を調整するための装置に関するものである。
【０００２】
【従来の技術】
図７は、一般的なオフセット輪転印刷機における印刷ユニットの概略構成を説明する図である。図７に示すように、インキ１３がインキ溜１４からインキローラ群１５を介して順次転移供給された後、インキ着けローラ５を介して版胴４上に巻着させた刷版１６上へ供給される。また、湿し水も同様に水溜１９からローラ群を介して順次転移され、湿し水ローラ６を介して刷版１６上へ供給される。なお、刷版１６には予め親油性の画線部と親水性の非画線部が絵柄として設けられており、インキは画線部へ、湿し水は非画線部へ付着するようになっている。続いてこの絵柄は、該刷版１６からゴム胴１７の外周面へ絵柄として転移され、更に、ゴム胴１７とゴム胴１７の中間を走行するウェブ１８の両側面へ転写されて所定の印刷が行われるようになっている。
【０００３】
次に、従来からのオフセット輪転印刷機に設備されている版胴４とインキ着けローラ５との間のニップ量、及び版胴４と水着けローラ６との間のニップ量を調整する機能を有するローラ支持装置について、図５を参照しながら説明する。
【０００４】
従来のローラ支持装置３１は、フレーム１に軸支された版胴４に対してインキ着けローラ５を接離すべく構成したものである。具体的にこのローラ支持装置３１の構造を説明すると、本装置は上記インキ着けローラ５の移動手段として、インキ往復ローラ３の両軸端部に枢支される一対の揺動アーム７を具備しており、該揺動アーム７の一端にはインキ着けローラ５を軸支する構成となっている。一方、該揺動アーム７の他端は、伸縮可能に構成した接続部材８を介しトリップ軸９を中心に回動するトリップレバー１０に連結されている。なお、接続部材８の両端の連結部は夫々、揺動アーム７及びトリップレバー１０に対して回転可能に取りつけられている。従って、トリップレバー１０がトリップ軸９を中心に回動することによって、インキ着けローラ５が版胴４に対して接離するように作用する。なお、水着けローラ６についても同様の作用を成す。
【０００５】
次に従来の接続部材８の詳細について図６に従って説明する。接続部材８はごく一般的に使用されるもので、ターンバックル２０によって構成され、ネジ軸の回動により伸縮するようになっている。つまり、従来のローラ支持装置３１におけるニップ量調整は、ターンバックル２０の回動によって接続部材８が伸縮して揺動アーム７が回動し、揺動アーム７に軸支されたインキ着けローラ５の軸心位置が移動することで適宜行われるようになっている。
【０００６】
【発明が解決しようとする課題】
上記従来のローラ支持装置３１における接続部材８では、ターンバックル２０に設けられた両ネジ部２２、２３は互いに逆方向ネジによって形成されていた。また、これらネジのピッチ（Ｐ１、Ｐ２）は標準ピッチとなっていた。このため、ターンバックル２０を回転させると、接続部材８の長さが同時に拡大、或いは縮小するように作用する。つまり、両ピッチ（Ｐ１、Ｐ２）の和（合計した寸法）に相当する量だけ伸縮する。なお、図６中の１２は、ターンバックル長さを調整した後、位置を固定するロックナットである。
【０００７】
例えば図５中の（Ｓ）部に示す如く、ターンバックル２０のネジとして、図中左側（揺動アーム７側）のピッチ（Ｐ１）を右ネジで１．７５ｍｍとし、また、反対側（トリップレバー１０側）のピッチ（Ｐ２）を左ネジで１．７５ｍｍとした場合、ターンバックル２０を図６中矢印の方向に１回転させると、揺動アーム７側が１．７５ｍｍ縮小し、また同時にトリップレバー１０側も１．７５ｍｍ縮小することになる。従って、接続部材８はターンバックル２０の１回転に対して、１．７５ｍｍ＋１．７５ｍｍ＝３．５ｍｍ短くなる。また、ターンバックル２０を上記と逆に回転させると、３．５ｍｍ長くなる。つまり、構造上、接続部材８（ターンバックル２０）の伸縮量が僅かな回転量で、大幅に変動するようになっていた。このため、僅かな回転量でもインキ着けローラ５が直径方向（版胴４への接離方向）へ大きく移動するため、微妙なニップ調整が非常に困難なものとなる。一方、ネジのピッチを小さくすることも考えられるが、ピッチの極小化（つまりはこのニップ調整の分解能の向上）にも限界がある。このことは、高品質の印刷物を得るためのニップ量（印圧）調整に際し、オペレータに長い経験、つまり、高度の技術が要求されることを意味する。さらにこのことは、ゴムローラの交換作業に伴うニップ量再設定時の時間短縮を図る事ができない等の問題につながる。
【０００８】
本発明は、上述した課題に鑑み、オペレータの経験に頼ることなく、従来では困難であった微妙なローラ間ニップ量の調整を容易に行えるようにしたニップ調整装置を備えるローラ支持装置を提供することを目的とする。
【０００９】
さらに本発明は、ニップ量の調整分解能を向上させながらも、ニップ量の設定時間を短縮させることのできるローラ支持装置を提供することを目的とする。
【００１０】
【課題を解決するための手段】
上記目的を達成するために、本発明のローラ支持装置は、フレームに軸支された軸部材に枢支され、その一端において前記軸部材に接触して回転するローラを軸支する揺動アームと、前記揺動アームの他端においてその一端が回転可能に支持され、その他端が前記フレームに対して回転可能に結合される接続部材とを備えており、前記接続部材が、その両側のネジの方向が互いに同方向でかつそれらのピッチが互いに異なっているターンバックルを備えていることを特徴としている。このように、ターンバックルの両ネジ部を同方向異ピッチに構成することにより、ターンバックルの回転に対し、両ネジのピッチ差だけ接続部材が伸縮するので、ピッチが近接している同方向ネジを選択することで、接続部材の長さ調整が従来に比べてより細かく行えるようになる。また、本発明によれば、接続部材に設けるターンバックルにおける両側のネジのピッチを適宜選択することもできるので、ターンバックルの１回転当たりの接続部材伸縮量をより柔軟に設計することが可能になる。
【００１１】
さらに、本発明によれば、前記接続部材にさらに、その両側のネジの方向が互いに逆方向であるターンバックルを、ネジの方向が互いに同方向である前記ターンバックルと直列を成すように設けることもできる。このような構成により、先ずは逆方向ネジのターンバックルを調整することでニップ量の粗調整を行い、その後、同方向異ピッチのターンバックルを調整することでニップ量の微調整を行うようにすることが可能になる。従って、同方向異ピッチのターンバックルのみでは時間のかかる調整が、本発明による２種類のターンバックルの組合わせにより格段に早く済ませることができる。勿論本発明は、この組合わせだけを包含するものではない。ローラ支持装置が支持するローラのサイズや要求されるニップ量のレンジによって、これら異なるタイプのターンバックルを適宜組合わせることができる。
【００１２】
【発明の実施形態】
以下、図面を参照しながら本発明の実施の形態について説明する。
［第１実施形態］
図１は、本発明の第１実施例に係るローラ支持装置の構成を示す概略側面図であり、図２は、その概略正面図である。印刷ユニットの両幅端へ立設したフレーム１に対し、ベアリング（図示せず）を介して版胴４が軸支されている。ローラ支持装置２１は、該版胴４に対して、インキ着けローラ５及び水着けローラ６が接離されるように作用するものである。具体的には、本実施例によるローラ支持装置２１は、上記インキ着けローラ５（或いは水着けローラ６）を版胴４に対して接離させる手段として、インキ往復ローラ３の両軸端部に枢支される一対の揺動アーム７を具備しており、該揺動アーム７の一端にはインキ着けローラ５を軸支する構成となっている。一方、揺動アーム７の他端は、伸縮可能な接続部材８を介し、トリップ軸９を中心にして回転するトリップレバー１０に連結されている。また、上記した接続部材８は、ターンバックル１１によって構成され、ネジ軸の回動により伸縮するようになっている。
【００１３】
これまでに説明した本発明の第１実施例にかかるローラ支持装置２１の構成部分は、上述した従来技術のものと同様であるが、本願発明にかかるローラ支持装置２１は、上記ターンバックル１１の構成に特徴を有する。即ち、本願発明にかかるローラ支持装置２１のターンバックル１１は、図３に示すように、その軸端ネジ部２２、２３を、同一のネジ方向としかつ互いに異なるピッチ（Ｐ１、Ｐ２）にて構成した事を特徴とするものである。この構成を有することにより、接続部材８はターンバックル１１が１回転する毎に両ピッチ（Ｐ１、Ｐ２）の差に相当する量だけ伸縮することになる。
【００１４】
例えば、ターンバックル１１の両方のネジ２２、２３を右ネジとし、図３中左側ネジ２２（揺動アーム７側）のピッチ（Ｐ１）を１．０ｍｍとし、反対側ネジ２３（トリップレバー１０側）のピッチ（Ｐ２）を１．７５ｍｍとした場合、ターンバックル１１を図中矢印の方向に１回転させると、揺動アーム７側に１．０ｍｍねじ込まれ、逆にトリップレバー１０側からは１．７５ｍｍ押し出される。したがって、接続部材８は、１．７５−１．０＝０．７５ｍｍ伸長することになる。なお、図中１２は、ターンバックルの長さを調整した後、位置を固定するロックナットである。
【００１５】
次に、第１実施例におけるローラ支持装置２１におけるローラのニップ量調整に関する操作方法について説明する。先ず、胴抜き状態（インキ着けローラ５を版胴４から離間させた状態）からトリップ軸９（トリップレバー１０）を回転させて着状態（インキ着けローラ５を版胴４に接触させた状態）にする。この時に、インキ着けローラ５から転移したインキ１３の幅（量）が、設定した所定幅（量）よりも小さい場合、版胴４とインキ着けローラ５との軸間距離を縮小させる。逆に上記インキ１３の転移幅が所定幅より大きい場合には軸間距離を拡大する。このようにして、版胴４とインキ着けローラ５との軸間距離、つまり版胴４に対するインキ着けローラ５のニップ量を調整設定することができる。その後、ロックナット１２にて接続部材８におけるターンバックル１１の位置を固定する。
【００１６】
［第２実施形態］
次に、本願発明にかかる第２実施形態について説明する。
図４に示すように、図６に示した従来のターンバックル２０を有する接続部材８（以下「第１の接続部材」と称する）に対して直列を成すように、図３に示したターンバックル１１（以下「第２の接続部材」と称する）を有する接続部材８を結合させる。これを図１に示す接続部材８としてローラ支持装置２１に組み込むことにより、先ずは第１の接続部材のターンバックルを回動させて粗調整を行い、次に第２の接続部材のターンバックルを回動させて微調整を行うといった２段階調節を行うことができる。これは例えば、微調整側のターンバックルの移動分解能を極力上げたい場合においては、所望のニップ量に達するまでにターンバックルを回動させる回数が多くなり、調整に時間がかかる。しかし、上述のように２段階にニップ量調整を行うようにすれば、調整分解能を上げながらも短時間で所望ニップ量の設定を達成することができる。
【００１７】
以上、インキ着けローラ５に適用した場合のローラ支持装置２１を例に本願発明について説明してきたが、本発明は上述の実施形態に限定されず、本発明の趣旨を逸脱しない範囲で種々変形して実施することができる。例えば、構造上上記インキ着けローラ５に類似する水着けローラ６に適用し、該水着けローラ６と版胴４との間のニップ量を調整するようにすることも可能である。勿論、これらオフセット輪転印刷機内に備えられたものに限らず、互いに係合するシリンダ（胴）やローラ類を備え、そのニップ量を調整する必要のある、あらゆる装置において広く採用する事が出来る。
【００１８】
【発明の効果】
以上詳述したように、本発明のローラ支持装置によれば、接続部材８の伸縮量、つまり揺動アーム７（インキ着けローラ、水着けローラ）の移動量を従来に比べてより細かく調整することができるため、接する２ロール間のニップ量の調整が極めて容易になる。特に、上記２種類（逆方向ネジ・タイプと同方向異ピッチネジ・タイプ）のターンバックルを組合わせて接続部材８を構成することにより、調整分解能を上げながらも短時間で所望ニップ量の設定を達成することができる。
【図面の簡単な説明】
【図１】本発明の第１実施形態にかかるローラ支持装置２１の概略側面図である。
【図２】本発明の第１実施形態にかかるローラ支持装置２１の概略正面図である。
【図３】本発明の第１実施形態にかかるローラ支持装置２１の接続部材８の詳細を説明するための図である。
【図４】本発明の第２実施形態にかかるローラ支持装置２１の接続部材８の詳細を説明するための図である。
【図５】従来のローラ支持装置３１を示す図である。
【図６】従来のローラ支持装置３１の接続部材を詳細に説明するための図である。
【図７】一般的なオフセット輪転印刷機の印刷ユニットを示す該略図である。
【符号の説明】
１：フレーム
２：軸受
３：インキ往復ローラ
４：版胴
５：インキ着けローラ
６：水着けローラ
７：揺動アーム
８：接続金具
９：トリップ軸
１０：トリップレバー
１１：ターンバックル
１２：ロックナット
１３：インキ
１４：インキ溜
１５：インキローラ群
１６：刷版
１７：ゴム胴
１８：ウェブ
１９：水
２０：ターンバックル
２１、３１：ローラ支持装置
２２、２３：ネジ部
【図１】
2004025811.tif 000003
【図２】
2004025811.tif 000004
【図３】
2004025811.tif 000005
【図４】
2004025811.tif 000006
【図５】
2004025811.tif 000007
【図６】
2004025811.tif 000008
【図７】
2004025811.tif 000009